(57)【要約】      （修正有）【課題】剃りにくかった産毛やくせ毛が均等な吸着力によって効率よく剃れ、且つ外刃が肌に固着することなく、スムーズに移動させることが出来る電気かみそり。【解決手段】別体吸引装置７より電気かみそりの外刃１内側へ負圧を与える。肌と外刃が固着せずに一定の吸着力を保つために、外刃の外周には肌とのクリアランスが発生する位置、まで負圧保持用外壁１２を設ける。負圧保持用外壁は外刃の頂上部より数ミリ低い位置で外刃を囲み、肌へ直接固着することなく安定した負圧を保つことができ、肌は外刃に吸いつけられつつもスムーズに移動できる。発生した毛くずも、肌と負圧保持用外壁の隙間を流れる空気によって吸引装置へ運ばれる。それでも外刃全体を肌が覆ってしまった際に固着することを防ぐため、負圧が高まり過ぎた場合のみ作動する圧力調整用弁を負圧伝達経路に設ける。【選択図】図５
2015188723.tif 000002
【特許請求の範囲】
【請求項１】
電動かみそりに空気の負圧を利用し肌への密着性を得ると同時に、毛くずを集塵する機能を持つ装置において、負圧を保持しつつ肌が外刃へ固着しないよう、肌とクリアランスを持った位置に負圧保持用外壁を設ける構造。  
【請求項２】
電動かみそりに空気の負圧を利用し肌への密着性を得ると同時に、毛くずを集塵する機能を持つ装置において、電気かみそり内部の負圧が高まり過ぎた際に、負圧の調整する弁を持たせ、肌と外刃が固着することを防止し、尚且つ集塵機能の低下を避ける構造。
【発明の詳細な説明】
【技術分野】
【０００１】
本発明は剃り残しが少ない電気かみそりに関するものである    
【先行技術文献】
【特許文献】
【０００２】
【特許文献１】特開２００９−７２４４８
【特許文献２】特開２００１−２１８９８７
【特許文献３】特開２００１−１９０８６８
【発明の概要】
【発明が解決しようとする課題】
【０００３】
従来の電気かみそりでは、外刃に肌を押し付けることにより密着させていたため、身体の凹凸によって外刃が部分的に肌と密着し、体毛の剃り残しが発生している。また、剃りこみ深さも肌へ押し付ける強さにより安定しない。非特許文献にみられるように、電気かみそりの内部より空気の負圧によって肌を吸い込み、外刃に肌を密着させることで確実に剃り残した体毛を捉えると同時に、剃った体毛のカスを集塵する効果を狙った案は、幾つか発案されている。
【０００４】
しかし従来の電気かみそりをそのまま使用し十分な吸い付け効果を得るためには、非常に強い吸い込み力が必要となる。それを補うために、負圧を保持する目的で外刃を囲むカップホルダーや外壁を、外刃と同じか、より高い位置に設置する手法も考案されているが、肌が外壁に引っ掛かることでしわが発生し、均等な深剃り効果を得ることが出来ない。
【０００５】
また、カップホルダーや外壁を、肌によって塞がれることで負圧が高くなりすぎ、外刃
が肌の表面をスムーズに移動できないだけでなく、外刃から吸引装置への空気の流れも止まってしまい、集塵効果も薄れてしまう。
【課題を解決するための手段】
【０００６】
一体、もしくは別体の吸引装置より外刃の内側へ負圧を与えた電気かみそりにおいて、負圧を保持するため外刃を囲む負圧保持用外壁を、肌が密着した際に隙間が発生する位置に設ける。
【０００７】
外壁は外刃の頂上部より数ミリ低い位置で外刃を囲み、肌へ直接固着することなく安定した負圧を保つことができ、肌は外刃に吸いつけられつつもスムーズに移動できる。発生した毛くずも、肌と負圧保持用外壁の隙間を流れる空気によって吸引装置へ運ばれる。
【０００８】
それでも下あごなど、肌が伸びやすく、外刃全体を完全に覆ってしまった際に、肌が外刃に固着することを防ぐため、負圧が高まり過ぎた場合のみ作動する圧力調整用弁を負圧伝達経路に設ける。
【０００９】
これにより、剃りにくかった産毛やくせ毛が均等な吸着力によって効率よく剃れ、且つ外刃が肌に固着することなく、スムーズに移動させることが出来る。
【発明を実施するための形態】
【実施例】
【００１０】
以下、図面を参照して本発明の好ましい実施形態について詳細に説明する。
図１は外刃を１個備えた回転式の電気かみそりへ本発明を実施した外観の斜視図である。
図２は図１の電気かみそり本体のみを分解した斜視図である。
図３は外部負圧の伝達管接続部に配置された、圧力調整用弁が閉じた状態の斜視図である。図４は外部負圧の伝達管接続部に配置された、圧力調整用弁が開いた状態の斜視図である。
図５は外刃を３個備えた往復式の電気かみそりへ本発明を実施した外観の斜視図である。図６は図５の外刃、負圧保持用外壁、下あごの位置関係を表す断面図である。
【００１１】
図１に示されているように、外刃１はモーターホルダー２に固定され、内刃ホルダー３はモーター４を介してモーターホルダーに固定されている。モーターホルダーは本体上ケース５に固定され、本体上ケース５は、本体下ケース６に固定されている。本体下ケース６は別体吸引装置７と繋がった負圧伝達管８と連結している。
【００１２】
図２に示されているように、モーターホルダー２、内刃ホルダー３、本体下ケース６には、機能として必要な部位を除く範囲へ、負圧を伝達させるための肉抜きが施されている。更にモーターホルダー２には、負圧を直接本体の外部へ伝えるための負圧伝達管８を設け、本体下ケース６には、負圧伝達管８との接続部と圧力調整用弁９を設けられている。
【００１３】
圧力調整用弁９は、板ばね１０によって回転可能な状態で本体下ケース６に固定されている。圧力調整用弁９は、板ばね１０の弾性力によって、負圧が一定値以下の状態では、図３に示すように負圧を確保するために閉じているので、負圧を無駄に失うことがない。肌が外刃１全体を完全に覆ってしまった際には負圧が一定値以上となり、図４に示すように、圧力調整用弁９は過剰な負圧を開放する方向に、板ばね１０を弾性変形させて開くので、外刃が肌に固着することなくスムーズに移動させることが出来る。
【図面の簡単な説明】
【００１４】
【図１】本発明の好ましい実施形態である外刃を１個備えた回転式の電気かみそりへ、本発明を実施した外観の斜視図である。
【図２】図１の電気かみそり本体のみを分解した斜視図である。
【図３】外部負圧の伝達管接続部に配置された、負圧調整弁が閉じた状態の斜視図である。
【図４】外部負圧の伝達管接続部に配置された、負圧調整弁が開いた状態の斜視図である。
【図５】本発明の好ましい実施形態である外刃を３個備えた往復式の電気かみそりへ、本発明を実施した外観の斜視図である。
【図６】図５の外刃、負圧保持用外壁、下あご輪郭線の位置関係を表す断面図である。
【符号の説明】
【００１５】
１：    外刃
２：    モーターホルダー
３：    内刃ホルダー
４：    モーター
５：    本体上ケース
６：    本体下ケース
７：    別体吸引装置
８：    負圧伝達管
９：    圧力調整用弁
１０：  板ばね  
１１：  負圧伝達管との接続部
１２：  負圧保持用外壁
１３：  下あご輪郭線
１４：  下あご輪郭線と負圧保持用外壁のクリアランス
【図１】
2015188723.tif 000003
【図２】
2015188723.tif 000004
【図３】
2015188723.tif 000005
【図４】
2015188723.tif 000006
【図５】
2015188723.tif 000007
【図６】
2015188723.tif 000008
【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
電動かみそりに空気の負圧を利用し肌への密着性を得ると同時に、毛くずを集塵する機能を持つ装置において、負圧を保持しつつ肌が外刃へ固着しないよう、肌とクリアランスを持った位置に負圧保持用外壁を設けることによって、電気かみそり内部の負圧が高まり過ぎた際に、負圧の調整する弁を持たせ、肌と外刃が固着することを防止し、尚且つ集塵機能の低下を避ける構造。